(57)【要約】【課題】所望のアナログ放送のチャンネルをチャンネルアップ／ダウンキーで選局可能な状態にする操作が容易な放送受信装置を提供することである。【解決手段】デジタル／アナログ放送受信装置１０は、選局操作に用いられるチャンネルアップ／ダウンキー１１ａを有する操作部１１と、チャンネルアップ／ダウンキー１１ａで選局するチャンネルか選局しないチャンネルかを設定可能に表示するチャンネルリストを記憶するＥＥＰＲＯＭ１８と、アナログ放送を受信可能なチューナ１２とを備え、チャンネルリストに初期状態としてアナログ放送の物理チャンネルが登録されている構成とする。【選択図】図１
2009049801.tif 000002
【特許請求の範囲】
【請求項１】
選局操作に用いられるチャンネルアップ／ダウンキーを有する操作部と、
前記チャンネルアップ／ダウンキーで選局するチャンネルか選局しないチャンネルかを設定可能に表示するチャンネルリストを記憶する記憶部と、
アナログ放送を受信可能なチューナとを備えた放送受信装置において、
前記チャンネルリストに初期状態としてアナログ放送の物理チャンネルが登録されていることを特徴とする放送受信装置。
【請求項２】
前記初期状態において、登録されているアナログ放送の物理チャンネルは、前記チャンネルアップ／ダウンキーで選局しない設定になっていることを特徴とする請求項１記載の放送受信装置。
【請求項３】
前記初期状態で登録されているのはアナログ放送の全物理チャンネルである請求項１又は２記載の放送受信装置。
【請求項４】
デジタル放送を受信可能なチューナを備え、
受信に成功したデジタル放送の仮想チャンネルを前記チャンネルリストに追加することを特徴とする請求項１〜３の何れかに記載の放送受信装置。
【請求項５】
前記デジタル放送はＡＴＳＣ（Advanced Television System Committee）放送であり、デジタル放送の仮想チャンネルの受信に成功したことは、ＶＣＴ（Virtual Channel Table）を受信できたことから判断することを特徴とする請求項４記載の放送受信装置。
【請求項６】
前記チャンネルリストに登録されたデジタル放送の仮想チャンネルは、前記チャンネルアップ／ダウンキーで選局する設定になっていることを特徴とする請求項４又は５記載の放送受信装置。
【請求項７】
前記操作部は、
前記チャンネルリスト上で所望のチャンネルを選択するカーソルを移動させるカーソルキーと、
前記チャンネルリスト上で所望のチャンネルが選択された状態で前記チャンネルアップ／ダウンキーで選局するチャンネルか選局しないチャンネルかを切り換えるエンターキーとを有することを特徴とする１〜６の何れかに記載の放送受信装置。
【請求項８】
前記チャンネルリストにおいて、前記チャンネルアップ／ダウンキーで選局するチャンネルをハイライト表示することを特徴とする請求項１〜７の何れかに記載の放送受信装置。
【請求項９】
前記記憶部はＥＥＰＲＯＭであり、受信した映像を出力する表示部と、受信した音声を出力するスピーカとを備えたことを特徴とする請求項１〜８の何れかに記載の放送受信装置。
【発明の詳細な説明】
【技術分野】
【０００１】
本発明は、液晶テレビなどの放送受信装置に関し、少なくともアナログ放送が受信できる放送受信装置に関する。
【背景技術】
【０００２】
現在、日本や米国をはじめ世界的に地上アナログ放送から地上デジタル放送への過渡期にあり、地上アナログ放送終了（停波）まではアナログ放送とデジタル放送とが混在した状態が続くことになる。そのため、現在販売されている放送受信装置は、アナログ放送とデジタル放送の両方を受信できるものが主流となっている。
【０００３】
ところで、デジタルやアナログの放送受信装置の多くは、その記憶部に選局可能なチャンネルの一覧である、いわゆるチャンネルマップを保存している。このチャンネルマップは、チャンネルアップ／ダウンキーによる選局にも利用されており、チャンネルアップ／ダウンキーでどのチャンネルを選局するかはメニュー画面から選択可能なチャンネルリストとして表示される。そして、ユーザはチャンネルリスト上で各チャンネルについて選局するか否かを設定変更できる。このようなチャンネル選局の設定方法については様々な技術が提案されている。
【０００４】
例えば特許文献１には、アナログ放送に対しては各チャンネル毎にポジション番号を割り当て、デジタル放送に対しては、同じチャンネルであってもサービス番号が異なる番組には、それぞれ異なるポジション番号を割り当て、各ポジション番号毎に、チャンネル情報、アナログ放送かデジタル放送かを示す識別情報およびデジタル放送である場合にはサービス番号からなるチャンネルリスト情報をそれぞれ記憶しておき、ユーザに、ポジション番号を直接に又はアップダウンキーによって間接的に指定させ、ユーザによって指定されたポジション番号に対応するチャンネルリスト情報に基づいて選局・番組抽出処理を行うようにしたテレビジョン受信機の選局方法が開示されている。
【０００５】
特許文献２には、ユーザは、メニュー画面からチャンネル変更設定画面を呼び出さなくても、リモコン送信機のアナログＣＨ変換キーを操作することにより、ダイレクトでチャンネル変更設定画面を表示させることができる放送受信装置が開示されている。
【０００６】
特許文献３には、少なくともデジタルＢＳ放送番組を受信できるテレビジョン受像機において、操作部に設けられかつデジタルＢＳ放送の各トランスポンダに対応する複数の選局キー、上記選局キーのうち何れかがユーザによって操作されたときに、操作された選局イーに対応するトランスポンダに含まれているチャンネルのリストを含む番組選択画面を表示させる手段、ならびに操作部に設けられかつ番組選択画面に基づいて番組選択画面に含まれているチャンネルリストのうちから特定のチャンネルをユーザによって指定させるための操作キーを備えているものが開示されている。
【０００７】
特許文献４には、アナログ方式の地上波テレビジョン放送信号を受信、復調し、映像信号および音声信号として出力するアナログ信号受信部と、デジタル方式の地上波テレビジョン放送信号を受信、復調および復号し、映像信号および音声信号として出力するデジタル放送受信部と、デジタル方式のケーブル対応テレビジョン放送信号を受信、復調および復号し、映像信号および音声信号として出力するデジタル信号受信部のうち、デジタル方式の地上波テレビジョン放送信号を含む少なくとも２種類以上の受信部の機能を持つ複合型受信部であり、該受信装置の信号受信部のチューナ部、および復号部は共通に使用するため１つで構成され、該複合型受信部の復調と復号処理を制御する制御回路と、該復調と復号処理に用いられるプログラム、各種制御情報を少なくとも記憶し、処理途中の中間情報、プリセットチャンネルを記憶する領域を少なくとも有する記憶回路とを備える、同周波数帯域で伝送する複数のテレビジョン放送方式に対応する受信装置において、該受信装置のプリセットチャンネルの設定時に、制御部は、デジタル方式の地上波テレビジョン放送で使われる搬送波の中心周波数が、アナログ方式地上波テレビジョン放送やデジタル方式ケーブル対応テレビジョン放送で使われる搬送波の中心周波数よりオフセットされて運用されるチャンネル配置で、オフセットされた周波数を考慮しない周波数でのチューナ設定により、順次チャンネルを選局し、受信部からの放送波検結果、及び放送波解析結果に基づきテレビジョン放送の種類別にプリセットチャンネルに対応したチャンネルリストを作成するものが開示されている。
【特許文献１】特開２００１−１３６４４３号公報
【特許文献２】特開２００４−３１２４４７号公報
【特許文献３】特開平１１−３４１３８３号公報
【特許文献４】特開２００６−１８６５１６号公報
【発明の開示】
【発明が解決しようとする課題】
【０００８】
チャンネルリストには、通常チャンネルマップに登録されたチャンネルが反映され、ユーザが登録したチャンネルやオートスキャンにより取得したチャンネルの一覧が表示される。オートスキャンとは、チャンネルマップへ受信可能なチャンネルを登録するために、自動で全ての周波数帯域を順番にスキャンして受信可能なチャンネルを探す機能である。
【０００９】
ここで、デジタル放送においては、チャンネル情報を取得できた段階で選局可能と判断しても問題なく視聴できるが、アナログ放送においては、どの程度の受信状態ならば受信成功とみなすかの判断が非常に困難である。例えば、あるユーザは受信状態が悪くてもチャンネルリストに登録してチャンネルアップ／ダウンキーで選局可能にしたいと考えるのに対し、またあるユーザは受信状態が悪い場合はチャンネルアップ／ダウンキーで選局しないようにしたいと考えることもある。
【００１０】
このように、アナログ放送のチャンネルにおいては、ユーザによってチャンネルリストに登録するか否かの判断基準が異なる。しかしながら、従来のアナログ放送受信装置は、オートスキャン時には装置が有する閾値に基づいて受信可能か否かを判別しおり、個々のユーザの嗜好に合わせたものではない。したがって、オートスキャンで取得できなかったチャンネルをチャンネルリストに登録してチャンネルアップ／ダウンキーで選局可能にするには、ユーザがチャンネル毎に手動で追加しなければならず、手間が掛かっていた。
【００１１】
本発明は、所望のアナログ放送のチャンネルをチャンネルアップ／ダウンキーで選局可能な状態にする操作が容易なデジタル／アナログ放送受信装置又はアナログ放送受信装置を提供することを目的とする。
【課題を解決するための手段】
【００１２】
上記目的を達成するために本発明は、選局操作に用いられるチャンネルアップ／ダウンキーを有する操作部と、前記チャンネルアップ／ダウンキーで選局するチャンネルか選局しないチャンネルかを設定可能に表示するチャンネルリストを記憶する記憶部と、アナログ放送を受信可能なチューナとを備えた放送受信装置において、前記チャンネルリストに初期状態としてアナログ放送の物理チャンネルが登録されていることを特徴とする。
【００１３】
この構成によれば、オートスキャンで受信できないと判断された受信強度の弱いアナログ放送のチャンネルでも予めチャンネルリストに登録されているので、ユーザが所望すれば容易にチャンネルリストの登録内容を変更することができ、チャンネルアップ／ダウンキーで選局可能となる。
【００１４】
上記の放送受信装置において、前記初期状態において、登録されているアナログ放送の物理チャンネルは、前記チャンネルアップ／ダウンキーで選局しない設定になっていることが望ましい。受信できないチャンネルも含んでいるからである。
【００１５】
また上記の放送受信装置において、前記初期状態で登録されているのはアナログ放送の全物理チャンネルであることが望ましい。受信可能な物理チャンネルが異なる複数の地域に対応することができるとともに、オートスキャンで受信不可能と判断されたチャンネルをユーザが手動でチャンネルリストに登録するという手間が省けて便利だからである。
【００１６】
また上記の放送受信装置において、デジタル放送を受信可能なチューナを備え、受信に成功したデジタル放送の仮想チャンネルを前記チャンネルリストに追加することが望ましい。ユーザはチャンネルリストへ登録するための特別な登録操作をする必要がなく、またチャンネルリストへの登録を意識することもないので、非常に使い勝手が良い。
【００１７】
また上記の放送受信装置において、前記デジタル放送がＡＴＳＣ放送であれば、デジタル放送の仮想チャンネルの受信に成功したことは、ＶＣＴを受信できたことから判断することができる。
【００１８】
また上記の放送受信装置において、前記チャンネルリストに登録されたデジタル放送の仮想チャンネルは、前記チャンネルアップ／ダウンキーで選局する設定になっていることが望ましい。ユーザが手動で設定する手間を省くためである。
【００１９】
また上記の放送受信装置において具体的には、前記操作部は、前記チャンネルリスト上で所望のチャンネルを選択するカーソルを移動させるカーソルキーと、前記チャンネルリスト上で所望のチャンネルが選択された状態で前記チャンネルアップ／ダウンキーで選局するチャンネルか選局しないチャンネルかを切り換えるエンターキーとを有する。
【００２０】
また前記チャンネルリストにおいて、前記チャンネルアップ／ダウンキーで選局するチャンネルをハイライト表示することが望ましい。選局しないチャンネルとの識別がしやすいからである。
【００２１】
また上記の放送受信装置において具体的には、前記記憶部はＥＥＰＲＯＭであり、受信した映像を出力する表示部と、受信した音声を出力するスピーカとを備えていれば、テレビ受像機となる。
【発明の効果】
【００２２】
本発明によると、所望のアナログ放送のチャンネルをチャンネルアップ／ダウンキーで選局可能な状態にする操作が容易であるので、個々のユーザの嗜好に合わせることができる。
【発明を実施するための最良の形態】
【００２３】
以下では、ＡＴＳＣ規格のデジタル／アナログ放送受信装置を例に説明する。図１は、デジタル／アナログ放送受信装置１０の構成を示すブロック図である。デジタル／アナログ放送受信装置１０は、操作部１１と、チューナ１２と、ＡＴＳＣインターフェース（以下ＡＴＳＣ  ＩＦと記す）１３と、８−ＶＳＢデコーダ１４と、ＩＣ１５と、ＲＡＭ１６と、ＲＯＭ１７と、ＥＥＰＲＯＭ１８と、Ｄ／Ａ変換部１９と、音声信号出力部２０と、スピーカ２１と、ＮＴＳＣエンコーダ２２と、映像信号出力部２３と、表示部２４と、ＮＴＳＣインターフェース（以下ＮＴＳＣ  ＩＦと記す）２５と、ＮＴＳＣデコーダ２６と、ＭＰＵ２７とを備えている。
【００２４】
操作部１１は、ユーザが選局操作等の各種操作を行うための複数のキーから構成されている。そのキーの１つにチャンネルアップ／ダウンキー１１ａがあり、チャンネルアップキーは１チャンネル毎に番号の昇順に選局するキーであり、チャンネルダウンキーは１チャンネル毎に番号の降順に選局するキーである。チャンネルアップ／ダウンキー１１ａの選局指示は後述するチャンネルリストの登録内容に基づいている。
【００２５】
また、操作部１１のキーの１つにカーソルキー１１ｂがあり、これはメニュー画面などで各項目を選択するためのカーソルを移動させるキーである。カーソルキー１１ｂは、例えば、後述するチャンネルリスト上で所望のチャンネルを選択するカーソルを移動させるのに用いられる。
【００２６】
また、操作部１１のキーの１つにエンターキー１１ｃがあり、これはカーソルキー１１ｂで選択した項目を決定するキーである。エンターキー１１ｃは、例えば、チャンネルリスト上で所望のチャンネルがカーソルで選択された状態においてチャンネルアップ／ダウンキー１１ａで選局するチャンネルか選局しないチャンネルかを切り換えるのに用いられる。なお、操作部１１は赤外線などで遠隔操作可能なリモコンとしてもよい。
【００２７】
チューナ１２は、デジタル／アナログ放送波を受信するアンテナ３０に接続されており、アンテナ３０で受信したデジタル／アナログ放送波から所望のチャンネルを選局するものである。ＡＴＳＣ  ＩＦ１３は、チューナ１２からデジタル出力波を取り出すものである。８−ＶＳＢデコーダ１４は、ＡＴＳＣ  ＩＦ１３から受け取ったデジタル出力波をデータに復調するものである。
【００２８】
ＩＣ１５は、ＴＳデマルチプレクサ１５ａとＭＰＥＧ−２デコーダ１５ｂとを有している。ＴＳデマルチプレクサ１５ａは、８−ＶＳＢデコーダ１４で復調されたデータを種別毎（ＶＣＴ、ＥＩＴ、映像データ、音声データなど）に分離するものである。ＭＰＥＧ−２デコーダ１５ｂは、ＴＳデマルチプレクサ１５ａで分離されたデータを圧縮前のデータに復号化するものである。
【００２９】
ＲＡＭ１６は、ＴＳデマルチプレクサ１５ａで分離されたデータを一時的に記憶しておくものである。ＲＯＭ１７は、デジタル／アナログ放送受信装置１０の動作に必要な情報を記憶しているものである。ＥＥＰＲＯＭ１８は、記憶部の１つであり、チャンネルマップやチャンネルリストを記憶しておくものである。
【００３０】
チャンネルマップは、選局可能なチャンネルの一覧であり、少なくとも仮想チャンネルと物理チャンネルとを対応させたものであり、オートスキャンの実行や後述するAuto Add機能などによって作成される。なお、アナログ放送の仮想チャンネルの欄は空欄又は「０」などとすればよい。一方、チャンネルリストは、チャンネルアップ／ダウンキー１１ａで選局するチャンネルか選局しないチャンネルかを設定可能に表示するフレームであり、チャンネルマップに基づいて作成される。チャンネルリストはメニュー画面から表示させることができ、ユーザはチャンネルリスト上で各チャンネルについて選局するか否かを設定変更できる。
【００３１】
Ｄ／Ａ変換部１９は、ＩＣ１５から出力された音声データをアナログ化するものである。音声信号出力部２０は、Ｄ／Ａ変換部１９によりアナログ化された音声データを出力するものである。スピーカ２１は音声信号出力部２０からの音声を放音するものである。
【００３２】
ＮＴＳＣエンコーダ２２は、ＭＰＥＧ−２デコーダ１５ｂで復号化された映像データをＮＴＳＣ復号テレビジョン信号に復号化するものである。映像信号出力部２３は、ＮＴＳＣエンコーダ２２で復号化されたＮＴＳＣ復号テレビジョン信号を出力するものである。表示部２４は、映像信号出力部２３からの映像を表示するものであり、液晶パネルなどからなる。
【００３３】
ＮＴＳＣ  ＩＦ２５は、チューナ１２からアナログ出力波を取り出すものである。ＮＴＳＣデコーダ２６は、ＮＴＳＣ  ＩＦ２５から受け取ったアナログ出力波をデジタル信号に変換するものである。
【００３４】
ＭＰＵ２７はデジタル／アナログ放送受信装置１０の動作を制御するものであり、比較部２７ａや登録制御部２７ｂなどを備えている。比較部２７ａは、受信した物理チャンネルの仮想チャンネル情報（ここではＶＣＴに含まれる仮想チャンネル番号）とチャンネルマップとを比較するものである。登録制御部２７ｂは、チャンネルマップの登録内容の書き換えを制御するものであり、例えば未登録の仮想チャンネルをチャンネルマップに登録するように制御する。チャンネルマップの登録内容が書き換えられた場合、その内容はチャンネルリストにも反映される。
【００３５】
次に、デジタル／アナログ放送受信装置１０がデジタル放送を受信するときの動作について説明する。まず、アンテナ３０でデジタル放送波を受信する。操作部１１が選局操作されると、チューナ１２は受信するトランスポンダの切り換えを行う。受信したデジタル放送波はＡＴＳＣ  ＩＦ１３を介して８−ＶＳＢデコーダ１４によりデータに復調される。
【００３６】
もともとデジタル放送波は送信側からＴＳパケットの形で伝送されてくる。ＴＳパケットは映像データ、音声データ、ＶＣＴ等を含む制御データからなり、この制御データをＩＣ１５のＴＳデマルチプレクサ１５ａにより分離してＲＡＭ１６に記憶する。そして、ＲＡＭ１６から読み出したデータをＭＰＥＧ−２デコーダにより圧縮前のデータに復号化する。次に、音声データをＤ／Ａ変換部１９によりアナログ化し、音声信号出力部２０を介してスピーカ２１から音声を放音する。また映像データをＮＴＳＣエンコーダ２２によりＮＴＳＣ復号テレビジョン信号に復号化し、映像信号出力部２３を介して表示部２４に映像を表示する。
【００３７】
そして、ユーザによる選局操作は、操作部１１のテンキー（不図示）で直接仮想チャンネルを入力することにより行われたり、チャンネルアップ／ダウンキー１１ａを操作することにより行われる。ここで、仮想チャンネルはメインチャンネルとサブチャンネルとからなる。図６に示されるmajor num.がメインチャンネル、minor num.がサブチャンネルに対応している。なお、図６でminor num.が「０」の仮想チャンネルはアナログ放送であることを示す。以下、メインチャンネルとサブチャンネルとの番号間は「−」で区切るものとし、例えばメインチャンネルが１２でサブチャンネルが３４の場合は、「１２−３４」と記すものとする。
【００３８】
次に、デジタル／アナログ放送受信装置１０がアナログ放送を受信するときの動作について説明する。まず、アンテナ３０でアナログ放送波を受信する。操作部１１が選局操作されると、チューナ１２は受信するトランスポンダの切り換えを行う。受信したアナログ放送波はＮＴＳＣ  ＩＦ２５を介してＮＴＳＣデコーダ２６によりアナログからデジタル信号へ変換される。そのデジタル信号はＩＣ１５に与えられ、以下、デジタル放送と同様に処理される。ここで、ＮＴＳＣデコーダ２６を介することにより、ＩＣ１５をデジタル／アナログの両放送に共用している。
【００３９】
次に、デジタル放送の通常の選局操作を行っているだけで、チャンネルマップに未登録の新たな仮想チャンネルがあれば自動的に登録されるAuto Add（自動付加）機能について説明する。図２は、Auto Add機能に関するデジタル／アナログ放送受信装置１０の動作を示すフローチャートである。
【００４０】
まず、選局操作などによりデジタル放送のチャンネルが選局され、ステップＳ１０においてＭＰＵ２７がある物理チャンネルのＶＣＴを取得した場合、ステップＳ１１へ進んで比較部２７ａが、ＶＣＴに含まれる仮想チャンネル番号とチャンネルマップの仮想チャンネル番号とを比較する。そして、ステップＳ１２へ進んでチャンネルマップに未登録の仮想チャンネルがＶＣＴにあれば、ステップＳ１３へ進んで登録制御部２７ｂが、その仮想チャンネルと対応する物理チャンネルとをチャンネルマップに追加登録する。一方、ステップＳ１２において未登録の仮想チャンネルがなければ、ステップＳ１０に戻る。
【００４１】
例えば、あるチャンネルを受信中に、選局操作により物理チャンネル「４」が選局されると、物理チャンネル「４」のＶＣＴを受信する。このとき、図３に示すように、現在のチャンネルマップ４０には、物理チャンネル「４」に対応する仮想チャンネルは「５５−１」のみが登録されているものとする。
【００４２】
そして、このＶＣＴに含まれている仮想チャンネル番号を抽出し、抽出した仮想チャンネル番号が、例えば、「５５−１」、「５５−２」、「５５−３」であったとする。そして、これら３つの仮想チャンネル番号と図３のチャンネルマップ４０の物理チャンネル「４」に対応する仮想チャンネルとを比較する。比較の結果、ＶＣＴから抽出された「５５−１」は既にチャンネルマップ４０に登録されており、ＶＣＴから抽出された「５５−２」及び「５５−３」はチャンネルマップ４０に未登録であることがわかる。そこで、チャンネルマップ４０に未登録である「５５−２」及び「５５−３」を追加登録することにより、チャンネルマップ４０は、図４に示すチャンネルマップ５０に更新される。
【００４３】
上記のように物理チャンネル「４」が選局された場合は、その時点で表示部２４に表示される番組は「５５−１」チャンネルである。その後直ぐにチャンネルマップ５０に更新されるので、この状態からチャンネルアップキーが操作されると、チャンネルマップ５０にしたがって「５５−２」、「５５−３」、「６０−１」・・・の順に選局される。
【００４４】
このように、通常の選局操作を行っているだけで、チャンネルマップに未登録の新たなチャンネルがあればAuto Add機能によって自動的に登録され、チャンネルリストに反映される。したがって、ユーザはチャンネルマップへ登録するための特別な登録操作をする必要がなく、またチャンネルマップへの登録を意識することもないので、非常に使い勝手が良い。
【００４５】
次に、チャンネルマップには登録されているが受信したＶＣＴには含まれていない仮想チャンネル番号があった場合は、そのままにしておいてもよいし、チャンネルマップから該当の仮想チャンネル番号を削除してもよい。例えば、現在、図３のチャンネルマップ４０を有しており、受信したＶＣＴに含まれている仮想チャンネル番号が「５５−２」「５５−３」である場合が考えられる。
【００４６】
このとき、そのままにしておく製品仕様であれば、「５５−１」はそのまま残されるので、チャンネルマップ４０は図４のチャンネルマップ５０のように更新される。この仕様によれば、一度でも受信可能になった仮想チャンネル番号は保持され、チャンネルリストにも反映される。但し、選局したチャンネルによっては現在放送されていない場合もある。
【００４７】
一方、削除する製品仕様であれば、「５５−１」は削除されるので、チャンネルマップ４０は図５のチャンネルマップ６０のように更新される。この仕様によれば、現在放送中でない仮想チャンネル番号がチャンネルマップから削除され、チャンネルリストにも反映される。
【００４８】
次に、チャンネルリストについて詳しく説明する。図７は、チャンネルリストの設定に関するデジタル／アナログ放送受信装置１０の動作を示すフローチャートである。
【００４９】
まず、ユーザにより操作部１１が操作されてメニュー画面の中からチャンネルリストを表示させる項目「チャンネル」が選択決定されると、ステップＳ２０においてＭＰＵ２７はＥＥＰＲＯＭ１８からチャンネルリスト読み出して表示部２４に表示させる。図８に初期状態（工場出荷状態）のチャンネルリストフレーム７０を示す。チャンネルリストフレーム７０の左端にはメニュー７１が表示され、メニューの１項目としてチャンネル７１aがある。図８ではチャンネル７１aはハイライト表示されており、それが選択決定されたことを示している。
【００５０】
また、チャンネルリストフレーム７０の右端には初期状態で登録されているアナログ放送の物理チャンネルが表示されている。初期状態で登録されているのはアナログ放送の全物理チャンネルであることが望ましい。受信可能な物理チャンネルが異なる複数の地域に対応することができるとともに、オートスキャンで受信不可能と判断されたチャンネルをユーザが手動でチャンネルリストに登録するという手間が省けて便利だからである。なお、初期状態でチャンネルリストに登録されているアナログ放送の物理チャンネルは、チャンネルマップから反映されたものではないので、初期状態でチャンネルマップにはアナログ放送の物理チャンネルを登録しておく必要はない。
【００５１】
そして、初期状態において、登録されているアナログ放送の物理チャンネルは、チャンネルアップ／ダウンキー１１ａで選局しない設定になっていることが望ましい。受信できないチャンネルも含んでいるからである。以下、チャンネルアップ／ダウンキー１１ａで選局しない（スキップする）設定をDel設定と呼び、チャンネルアップ／ダウンキー１１ａで選局する設定をAdd設定と呼ぶ。
【００５２】
図８では、各物理チャンネルがDel設定になっている状態を示しており、２チャンネルを囲んでいる太枠がカーソル７２を示している。２チャンネルの上及び８チャンネルの下にある三角印はそれぞれの方向にカーソル７２を移動させれば更なるチャンネルがスクロール表示されることを示している。
【００５３】
図８は初期状態、つまりオートスキャン前の状態であったが、オートスキャン実行後のチャンネルリストフレーム８０を図９に示す。チャンネルリストフレーム８０では、２，３，４，６，７，８チャンネルがハイライト表示されている。このハイライト表示はAdd設定の状態であることを示している。これはオートスキャンにより２，３，４，６，７，８チャンネルが受信可能と判断されチャンネルマップに登録されたことを反映しており、オートスキャンで受信可能と判断されたチャンネルはチャンネルリストに追加された際に自動的にAdd設定になるように制御している。ユーザが手動でAdd設定する手間を省くためである。
【００５４】
図７の説明に戻り、ステップＳ２０でチャンネルリストが表示されると、ステップＳ２１へ進んでチャンネルリスト内の何れかのチャンネルが選択されたか否かを判別する。チャンネルの選択は、カーソルキー１１ｂが操作されて所望のチャンネルにカーソル７２を移動させることで行われる。
【００５５】
ステップＳ２１においてチャンネルリスト内の何れかのチャンネルが選択されれば、ステップＳ２２へ進んで選択されたチャンネルを選局し表示する。表示は画面中央の空きスペースに収まる大きさで表示させればよい。なお、チャンネルリストフレームを表示させた最初の時点ではデフォルトのチャンネル（例えば２チャンネル）上にカーソルを位置させ、そのチャンネルを選局して表示させればよい。
【００５６】
続いてステップＳ２３へ進んでエンターキー１１ｃが押下されたか否かを判別する。エンターキー１１ｃの操作によりAdd設定とDel設定とを切り換えるためである。ステップＳ２３においてエンターキー１１ｃが押下されれば、ステップＳ２４へ進んで現在選択されているチャンネルがAdd設定であるか否かを判別する。一方、ステップＳ２３においてエンターキー１１ｃが押下されなければ、ステップＳ２１に戻る。
【００５７】
ステップＳ２４においてAdd設定であった場合は、ステップＳ２５へ進んでDel設定に切り換え、そのチャンネルのハイライト表示を通常の表示に戻す。一方、ステップＳ２４においてAdd設定でなかった場合、つまりDel設定であった場合は、ステップＳ２６へ進んでAdd設定に切り換え、そのチャンネル表示をハイライト表示にする。例えば、オートスキャンで受信できないと判断された５チャンネルをAdd設定に切り換えることもできる。ステップＳ２５又はステップＳ２６により所望のチャンネルのAdd設定とDel設定との切り換えが完了する。
【００５８】
そして、ステップＳ２５又はステップＳ２６からはステップＳ２１に戻る。なお、上記の処理中、操作部１１のバックキー（不図示）を押せば１つ前の画面に戻ることができ、キャンセルキー（不図示）を押せばチャンネルリストの表示を終了し、メニュー画面に戻る。
【００５９】
このように、チャンネルリストの初期状態としてアナログ放送の物理チャンネルを登録しておくことにより、オートスキャンで受信できないと判断された受信強度の弱いアナログ放送のチャンネルでもユーザが所望すれば容易にAdd設定にすることができ、チャンネルアップ／ダウンキー１１ａで選局可能となる。したがって、個々のユーザの嗜好に合わせることができる。従来は、オートスキャンで受信できないと判断された受信強度の弱いアナログ放送のチャンネルはチャンネルマップに登録されなかったので、チャンネルリストにも反映されず、必要に応じてユーザが手動でチャンネルリストに登録しなければならなかった。なお、図７に示したフローチャートの動作を実現するためには、デジタル放送受信機能は特に必要ないので、アナログ放送受信装置であってもよい。
【００６０】
また、図１０に示すように、チャンネルリストフレーム９０のチャンネルリストには「ＤＴＶ  ６−１」、「ＤＴＶ  ６−２」がハイライト表示されている。これは、上述したAuto Add機能によって取得したデジタル放送の仮想チャンネルである。デジタル放送の仮想チャンネルは初期状態ではチャンネルリストに登録されておらず、受信に成功したデジタル放送の仮想チャンネルがチャンネルリストに追加される。デジタル放送の仮想チャンネルの受信に成功したことは、ＶＣＴを受信できたことから判断され、ＶＣＴから仮想チャンネル情報が読み出される。
【００６１】
このようにしてチャンネルリストに登録されたデジタル放送の仮想チャンネルは自動的にAdd設定になるように制御している。ユーザが手動でAdd設定する手間を省くためである。なお、Add設定になっているデジタル放送の仮想チャンネルは図７のフローチャートにしたがって手動でDel設定にすることもできる。
【００６２】
なお、Auto Add機能によってチャンネルマップから仮想チャンネルが削除された場合は、同様にチャンネルリストから削除するか、チャンネルリストに残したまま自動的にDel設定に切り換えることが望ましい。
【００６３】
なお、上記の実施形態においては、デジタル／アナログ放送受信装置１０にスピーカ２１及び表示部２４を内蔵するデジタル／アナログテレビ等について説明したが、本発明は、スピーカ２１及び表示部２４を有さないチューナ装置であるセットトップボックス（ＳＴＢ）やビデオ装置にも適用できる。
【００６４】
なお、本発明のデジタル／アナログ放送受信装置は、ＡＴＳＣ規格に適用されるだけでなく、ＶＣＴのような仮想チャンネル番号が含まれた情報が配信されている規格であれば、他の規格にも適用することができる。
【産業上の利用可能性】
【００６５】
本発明の放送受信装置は、液晶テレビなどのテレビ受像機をはじめ、チューナ装置であるＳＴＢ、ビデオ装置であるビデオカセットレコーダやＤＶＤレコーダやハードディスクレコーダ、それらの複合機、放送受信機能付き携帯電話機などに利用することができる。
【図面の簡単な説明】
【００６６】
【図１】本発明のデジタル／アナログ放送受信装置の構成を示すブロック図である。
【図２】本発明のAuto Add機能に関するデジタル／アナログ放送受信装置の動作を示すフローチャートである。
【図３】本発明のチャンネルマップの一例である。
【図４】本発明のチャンネルマップの一例である。
【図５】本発明のチャンネルマップの一例である。
【図６】ＶＣＴの一例である。
【図７】本発明のチャンネルリストの設定に関するデジタル／アナログ放送受信装置の動作を示すフローチャートである。
【図８】本発明の初期状態のチャンネルリストフレームを示す図である。
【図９】本発明のオートスキャン実行後のチャンネルリストフレームを示す図である。
【図１０】本発明のチャンネルリストフレームの一例である。
【符号の説明】
【００６７】
１０    デジタル／アナログ放送受信装置
１１    操作部
１１ａ    チャンネルアップ／ダウンキー
１１ｂ    カーソルキー
１１ｃ    エンターキー
１８    ＥＥＰＲＯＭ（記憶部）
２１    スピーカ
２４    表示部
７０、８０、９０    チャンネルリストフレーム（チャンネルリスト）
【図１】
2009049801.tif 000003
【図２】
2009049801.tif 000004
【図３】
2009049801.tif 000005
【図４】
2009049801.tif 000006
【図５】
2009049801.tif 000007
【図６】
2009049801.tif 000008
【図７】
2009049801.tif 000009
【図８】
2009049801.tif 000010
【図９】
2009049801.tif 000011
【図１０】
2009049801.tif 000012